(57)【要約】【課題】ポートから取り外す際に、ポートプラグの周囲に溜まっていた異物を引掛けて除去可能なポートプラグを提供すること。【解決手段】  ポート端面２に開口して形成されるポート１の内周に嵌合する嵌合部７，９を備え、嵌合部７，９がポート１に嵌合して当該ポート１を閉塞するポートプラグ１００であって、嵌合部９の外周には、ポートプラグ１００がポート１から引き抜かれる際にポートプラグ１００の周囲に溜まっていた異物が侵入可能な異物溜めとしての環状溝１２が形成される。【選択図】図１
2010181009.tif 000002
【特許請求の範囲】
【請求項１】
ポート端面に開口して形成されるポートの内周に嵌合する嵌合部を備え、
前記嵌合部が前記ポートに嵌合して当該ポートを閉塞するポートプラグであって、
前記嵌合部の外周には、当該ポートプラグが前記ポートから引き抜かれる際にポートプラグの周囲に溜まっていた異物が侵入可能な異物溜めが形成されることを特徴とするポートプラグ。
【請求項２】
前記ポートは、
前記ポート端面から形成される第１嵌合孔と、
前記第１嵌合孔と同軸であり前記第１嵌合孔よりも小径に、かつ前記第１嵌合孔よりも奥に形成される第２嵌合孔と、を備え、
前記嵌合部は、
前記第１嵌合孔と嵌合する第１嵌合部と、
前記第２嵌合孔と嵌合する第２嵌合部と、を備え、
前記異物溜めは、前記第２嵌合部の外周に形成されることを特徴とする請求項１に記載のポートプラグ。
【請求項３】
前記異物溜めは、環状に形成される環状溝であることを特徴とする請求項１又は２に記載のポートプラグ。
【請求項４】
前記環状溝は、前記ポートの奥に向かって傾斜して形成されることを特徴とする請求項３に記載のポートプラグ。
【請求項５】
前記環状溝には、ポートプラグの内周と連通する通孔が形成されることを特徴とする請求項４に記載のポートプラグ。
【請求項６】
前記異物溜めは、外周へと環状に突出して形成される突出部であることを特徴とする請求項１又は２に記載のポートプラグ。
【請求項７】
前記突出部は、前記ポートの入口に向かって傾斜して形成されることを特徴とする請求項６に記載のポートプラグ。
【請求項８】
前記突出部の前記ポート入口側端部には、ポートプラグの内周と連通する通孔が形成されることを特徴とする請求項７に記載のポートプラグ。
【発明の詳細な説明】
【技術分野】
【０００１】
本発明は、油圧機器等のねじポートを閉塞するためのポートプラグに関するものである。
【背景技術】
【０００２】
ポートを有する油圧機器等では、塗装時や運搬時に内部へのダスト等の異物の進入や残り油等の出入りを防止するためにポートを閉塞しておく必要がある。そのため、ポートに一時的に嵌入してポートを塞ぐ部材として、ゴム等の弾性を有する材料によって形成されたポートプラグが広く用いられている。
【０００３】
特許文献１には、ポートプラグをポートに嵌入してポートからの液漏れ等を防止する発明が開示されている。
【先行技術文献】
【特許文献】
【０００４】
【特許文献１】特開２００５−１２１０８２号公報
【発明の概要】
【発明が解決しようとする課題】
【０００５】
しかしながら、特許文献１のようなポートプラグでは、ポートに嵌入されたポートプラグの周囲に異物が溜まり、ポートからポートプラグを引き抜いた際に異物がポート内に進入するおそれがあった。
【０００６】
そこで、本発明ではポートプラグを引き抜く際にポートプラグの周囲に溜まっていた異物を除去できるポートプラグを提供することを目的とする。
【課題を解決するための手段】
【０００７】
本発明は、ポート端面に開口して形成されるポートの内周に嵌合する嵌合部を備え、前記嵌合部が前記ポートに嵌合して当該ポートを閉塞するポートプラグであって、前記嵌合部の外周には、当該ポートプラグが前記ポートから引き抜かれる際にポートプラグの周囲に溜まっていた異物が侵入可能な異物溜めが形成されることを特徴とする。
【発明の効果】
【０００８】
本発明では、ポートからポートプラグを引き抜く際に、ポートプラグの周囲に溜まっていた異物が異物溜めに進入する。したがって、ポートプラグを引き抜く際にポートプラグの周囲に溜まっていた異物を除去できる。
【図面の簡単な説明】
【０００９】
【図１】本発明の実施の形態に係るポートプラグを断面で示した正面図である。
【発明を実施するための形態】
【００１０】
以下、図面を参照しながら本発明の実施の形態に係るポートプラグ１００について説明する。
【００１１】
ポートプラグ１００は、油圧機器に形成されるポート１に嵌入されて用いられる。ポートプラグ１００は、油圧機器の運搬時や塗装時などにダスト等の異物の進入や残り油の出入りなどを防止するために、一時的にポート１を閉塞しておくためのものである。ポートプラグ１００は、ポート１を閉塞する手段として、油圧機器の他に例えば空圧機器などにも使用可能である。ダスト等の異物は残り油に混ざって存在することが多くあるため、以下ではダスト等の異物や残り油などをまとめて「異物」という。
【００１２】
まず、ポートプラグ１００が嵌入されるポート１について説明する。
【００１３】
ポート１は、油圧機器に形成される孔である。ポート１は、ポート端面２から垂直に形成される円柱形の深穴である第１嵌合孔３と、第１嵌合孔３の底面から更にポート１の奥に形成され第１嵌合孔３よりも小径な円柱形の深穴である第２嵌合孔４とを備える。第１嵌合孔３と第２嵌合孔４は同軸に形成される。
【００１４】
第１嵌合孔３には、管用平行雌ねじが形成される。管用平行雌ねじではなく管用テーパ雌ねじであってもよい。ポート端面２に開口する第１嵌合孔３の端部は、管用平行雄ねじやポートプラグ１００を嵌入しやすいように面取り部３ｂが形成されている。第１嵌合孔３の底部３ａは、中心に向かうほどポート１の奥へと傾斜して形成される。
【００１５】
油圧機器の実際の使用状態においてポート１をシールして閉塞する場合には、第１嵌合孔３の管用平行雌ねじと対応する管用平行雄ねじ又は管用テーパ雄ねじが、必要に応じてシールテープなどのシール材を介して第１嵌合孔３の管用平行雌ねじに螺合される。
【００１６】
第２嵌合孔４の底部は、油圧機器内に形成される管１１に連結される。この第２嵌合孔４には、必要に応じてフェルールと呼ばれるシート吸材が挿入される。
【００１７】
次に、ポートプラグ１００について説明する。
【００１８】
ポートプラグ１００は、円盤状の鍔部６と、鍔部６の下部に突出して形成され鍔部６よりも径の小さい円筒状の第１嵌合部７と、第１嵌合部７の下部に突出して形成され第１嵌合部７よりも径の小さい円筒状の中間部８と、中間部８の下部に突出して形成され中間部８よりも径の小さい円筒状の第２嵌合部９とを備える。鍔部６，第１嵌合部７，中間部８，及び第２嵌合部９は、同軸に形成される。ポートプラグ１００、即ち鍔部６，第１嵌合部７，中間部８，及び第２嵌合部９は、ゴム等の弾性を有する材料で例えば射出成型によって形成される。
【００１９】
鍔部６は、ポート１の表面であるポート端面２に密着して当接するように設けられる。鍔部６がポート端面２と当接することによってポート１は閉塞される。
【００２０】
第１嵌合部７は、ポート端面２から形成される第１嵌合孔３に嵌合するように設けられる。第１嵌合部７が第１嵌合孔３と嵌合することによって、ポート１はシールされる。第１嵌合孔３には管用平行雌ねじが形成されているため、第１嵌合部７は管用平行雌ねじのねじ山に合わせた大きさで同径に形成される。第１嵌合部７に管用テーパ雌ねじが形成されている場合には、第１嵌合部７の管用平行雌ねじのネジ山に合わせた大きさのテーパ状に形成される。
【００２１】
第２嵌合部９は、ポート１の第２嵌合孔４に嵌合するように設けられる。第２嵌合部９が第２嵌合孔４と嵌合することによって、ポート１はシールされる。第２嵌合部９の底部９ａは、閉じられるように形成される。第２嵌合部９は、第１嵌合部７よりも小径に形成される。径の異なる第１嵌合部７と第２嵌合部９との間は、中間部８によって連結される。
【００２２】
中間部８は、ポート１の第１嵌合孔３及び第２嵌合孔４のいずれとも嵌合せずに、ポート１との間に空間１０を形成する。第１嵌合部７と中間部８との連結部８ａ、及び中間部８と第２嵌合部９との連結部８ｂは、緩やかな曲線によって連結される。
【００２３】
ここで、第１嵌合孔３には雌ねじが形成されているため、ポート１を備える油圧機器の作動確認を行う際に使用した作動油が雌ねじの谷の部分に溜まる可能性がある。そして、第１嵌合孔３の雌ねじ部分に溜まった作動油の表面に異物が付着することがある。
【００２４】
その状態で、ポートプラグ１００をポート１に嵌入すると、ポートプラグ１００の嵌入に伴って空間１０に異物が溜まる。特に、ポート１が図１に示すようにポート端面２から下方へ向かって形成されている場合、その異物は重力によって第１嵌合孔３の底部３ａに形成された傾斜面に溜まることとなる。
【００２５】
そして、そのままポートプラグ１００をポート１から引き抜くと、溜まっていた異物はポート１の内部へと進入するおそれがある。そこで、第２嵌合部９には異物溜めとしての環状溝１２が形成される。
【００２６】
環状溝１２は、第２嵌合部９の外周に環状に形成される。環状溝１２は、ポートプラグ１００を引き抜くときにポート１とポートプラグ１００との嵌合時に空間１０に溜まっていた異物を引掛けて除去することができる。環状溝１２は、ポート１の奥へと向かうほど内周面が第２嵌合部９の外周から内周へと傾斜して、即ちポートプラグ１００の軸心方向に対して傾いて形成される。
【００２７】
環状溝１２の替わりに、環状でなく円弧状の溝を複数形成してもよい。また、環状溝１２をポートプラグ１００の軸方向に複数並べて形成してもよい。環状溝１２は、第２嵌合部９のポートプラグ１００先端に近い位置に形成される。
【００２８】
また、環状溝１２の替わりに、第２嵌合部９から第２嵌合部９の外周へと環状に突出して形成される突出部を形成してもよい。突出部は、ポート１に嵌入した際に自由端が押しつぶされて第２嵌合部９に密着するように形成される。
【００２９】
ここで、第２嵌合部９は円筒形に形成されるため、内周は空洞である。環状溝１２が形成された第２嵌合部９の内周は、環状溝１２に対応する部分の肉厚を確保するために空洞にせり出すように厚肉部９ｂが形成される。
【００３０】
また、環状溝１２や突出部のポート１入口側端部から、第２嵌合部９の内周の空洞へと連通する通孔を形成してもよい。この通孔は１つであってもよいが複数であってもよい。このとき、環状溝１２や突出部に溜まった異物が、第２嵌合部９の内周の空洞へと流入する。つまり、第２嵌合部９の内周の空洞は、ポートプラグ１００を引き抜くときに環状溝１２又は突出部の上部に溜まった異物を溜める集積部となる。このとき、第２嵌合部９の外周から、ポート１の奥に向けて傾斜するように通孔を形成すると、第２嵌合部９内周の空洞へと異物を案内しやすい。
【００３１】
このように構成することで、空間１０に溜まった作動油や異物などが多い場合にも、第２嵌合孔９の内周の空洞に溜めることができる。よって、異物を確実にポートプラグ１００に引掛けて除去することが可能である。
【００３２】
以下、ポートプラグ１００の作用について説明する。
【００３３】
ポートプラグ１００は、ポート１に嵌入されるときに、第２嵌合部９の先端がポート１の第１嵌合孔３を通過し第２嵌合孔４の最上部に接触すると同時に、第１嵌合部７の先端が第１嵌合孔３の最上部に接触するように構成されている。このように構成することによって、ポート１に対するポートプラグ１００の位置決めが容易にできる。その後は作業者が鍔部６を強く押すことによって、図１に示すように第２嵌合部９を第２嵌合孔４に嵌合させると同時に、第１嵌合部７を第１嵌合孔３に嵌合させて、ポート１は確実にシールされる。また、鍔部６がポート端面２に密着することによって、ポート１は更にシールされる。
【００３４】
ポートプラグ１００をポート１から引き抜くときには、ポート端面２に密着して当接していた鍔部６が、まず作業者によってポート端面２から離間させられる。このとき、作業者が摘むための図示しない突起を鍔部６から外側に向けて設けておくと作業性を向上できる。
【００３５】
そして、作業者によってポートプラグ１００がポート１から引き抜かれる途中で、環状溝１２が第１嵌合孔３の底部３ａと、即ち空間１０の最下部と対峙する。空間１０の最下部に異物が溜まっていた場合には、第２嵌合部９に形成された環状溝１２に異物が進入する。よって、異物は環状溝１２に引っ掛かってポートプラグ１００と一緒にポート１から取り外される。即ち、ポートプラグ１００を取り外す際に、環状溝１２に異物を引掛けて除去することが可能である。
【００３６】
環状溝１２の替わりに突出部を形成した場合も同様に、作業者によってポートプラグ１００がポート１から引き抜かれる途中で、突出部が空間１０の最下部と対峙する。このとき、第２嵌合部９に密接していた突出部の自由端は第２嵌合部９から離間するように開かれる。すると、空間１０の最下部に溜まっていた異物は、突出部の上部へと流入する。よって、異物は突出部に引っ掛かってポートプラグ１００と一緒にポート１から取り外される。即ち環状溝１２を形成した場合と同様に、ポートプラグ１００を取り外す際に、環状溝１２に異物を引掛けて除去することが可能である。
【００３７】
ここで、環状溝１２又は突起部は斜めに形成されているため、異物が侵入して引掛かりやすくなっている。また、第１嵌合孔３の底部３ａは傾斜して形成されているため、環状溝１２又は突起部の上部に異物を進入させやすくなっている。よって、空間１０に溜まっていた異物を確実に除去することが可能である。
【００３８】
以上の実施の形態によれば、以下のような効果を奏する。
【００３９】
ポート１とポートプラグ１００との間の空間１０には、異物が溜まっているおそれがある。ポートプラグ１００では、第２嵌合部９に環状溝１２を形成しているので、ポート１からポートプラグ１００を取り外す際に環状溝１２が空間１０の最下部に面したとき、異物は環状溝１２に進入する。したがって、空間１０に溜まっていた異物を引掛けて除去することが可能である。
【００４０】
また、環状溝１２は斜めに形成されているため、異物が侵入して引掛かりやすくなっており、第１嵌合孔３の底部は傾斜して形成されているため、環状溝１２に異物を進入させやすくなっている。よって、空間１０に溜まっていた異物を確実に除去することが可能である。
【００４１】
本発明は上記の実施の形態に限定されずに、その技術的な思想の範囲内において種々の変更がなしうることは明白である。
【産業上の利用可能性】
【００４２】
本発明に係るポートプラグは、油圧機器や空圧機器などに設けられるポートを閉塞するために利用できる。
【符号の説明】
【００４３】
１００  ポートプラグ
１      ポート
２      ポート端面
３      第１嵌合孔
６      鍔部
７      第１嵌合部
８      中間部
９      第２嵌合部
１０    空間
１１    管
１２    環状溝
【図１】
2010181009.tif 000003